(57)【特許請求の範囲】
【請求項１】
円筒状の胴部(2)の上端に、平面形状が円形のテーパ筒状の肩部(3)を介して、円筒状の口部(4)を一体に起立連設すると共に、胴部(2)の下端を偏平に押し潰して溶着したシール部(6)に成形し、前記胴部(2) 全体を、偏平に押し潰して容易に減容化可能としたチューブ容器であって、
前記胴部(2) の上部に、細溝状に成形された横溝(5) を周設し、該横溝(5) から上方の胴部上端部分(2a)の高さ(H1)を、前記押し潰し方向に沿った胴部上端部径(A1)の略１／２に設定して成る合成樹脂製容器。
【発明の詳細な説明】
【０００１】
【発明が属する技術分野】
本発明は、使用後の廃棄処理を容易にできるように構成した、減容化可能な合成樹脂製容器に関するものである。
【０００２】
【従来の技術】
従来、使用済みのチューブ容器、壜容器等の合成樹脂製容器は、その廃棄処理を容易にするために、横方向（幅方向）に偏平状に押し潰して減容化を容易に図ることができるようにしている。
【０００３】
【発明が解決しようとする課題】
しかしながら、従来のこれら減容化可能な合成樹脂製容器にあっては、胴部は比較的容易に押し潰すことができるが、肩部（壜容器の場合は肩部と底部）は容易に押し潰すことができないため、全体を充分に偏平状に減容化変形させることが困難であった。
【０００４】
また、例え偏平状に押し潰しても、合成樹脂製容器には素材の弾性による原形復帰性があるため、押し潰しによる偏平形状が維持され難く、充分な減容化状態を維持することができない、と云う問題があった。
【０００５】
そこで、本発明は、上記した従来技術における問題点を解消すべく創案されたもので、減容化可能である合成樹脂製容器の廃棄時における、押し潰しによる偏平な減容化を容易にかつ確実に達成することを技術的課題とし、もって、その廃棄処理を容易にかつ円滑にすることを目的とする。
【０００６】
【課題を解決するための手段】
上記技術的課題を解決する本発明の内、請求項１記載の発明の手段は、
合成樹脂製容器において、
円筒状の胴部の上端に、平面形状が円形のテーパ筒状の肩部を介して、円筒状の口部を一体に起立連設すると共に、胴部の下端を偏平に押し潰して溶着したシール部に成形し、前記胴部全体を、偏平に押し潰して容易に減容化可能としたチューブ容器であること、胴部の上部に、細溝状に成形された横溝を周設すること、この横溝から上方の胴部上端部分の高さを、押し潰し方向に沿った胴部上端部径の略１／２に設定すること、にある。
【０００７】
横溝から上方の胴部上端部分の高さを、押し潰し方向に沿った胴部上端部径の略１／２に設定したので、容器の胴部を前後から押し潰すと、胴部上端部分は横溝で折れ曲がって、その前後部分が庇状となると共に、その両側部分が下方に拡幅傾斜した姿勢となり、この胴部上端部分の前後部分および両側部分の変形が反転変形状となるので、胴部は偏平変形姿勢を自己保持する。
【０００８】
次いで、横溝から上の部分全体を、前後いずれかの側に横溝で折り曲げて折り畳むことにより、容器全体を、庇状突出部分が無くなり、充分に偏平でコンパクトな減容化状態となる。
【０００９】
また、胴部の上端に肩部を介して口部を設けると共に、胴部の底部を、偏平状に溶着したシール部で形成して、チューブ容器とすることにより、容器の底部が偏平に押し潰されたシール部となっているので、胴部上端部分の押し潰し方向を、シール部の偏平押し潰し方向と一致させるだけで、容器全体を偏平な減容化状態とすることができる。
【００１０】
また、このチューブ容器にあっては、胴部押し潰しによる確実な偏平化とその自己保持性、さらには上部部分の折り畳みにより、内容物のほとんどを口部から押し出すことができるため、容器内の内容物残量を大幅に減らすことができる。
【００１１】
なお、ここで胴部全体を、横溝での折り曲げが容易に達成できる程度に薄壁とすることにより、胴部の、横溝で折り曲げての偏平化がきわめて容易に達成することができるだけではなく、一つの容器を成形するのに要する合成樹脂材料の量を少なくすることができ、これにより大きな省資源化効果を得ることができる。
【００１２】
なお、横溝は、容器の 内方に向かって陥没した溝構造に限定されることはなく、容器の外方に向かって突出した溝構造であっても良い。
【００１３】
【発明の実施の形態】
以下、本発明の実施例を、図面を参照しながら説明する。図１〜図４は、本発明をチューブ容器に適用した第一実施例を示したもので、チューブ容器１ａは、円筒状の胴部２の上端に、平面形状が円形のテーパ筒状の肩部３を介して、円筒状の口部４を一体に起立連設すると共に、胴部２の下端を、偏平に押し潰して溶着したシール部６に成形して構成されている。
【００１４】
胴部２の上部の所定位置、すなわち、肩部３の周縁（胴部２の上端縁）から、容器押し潰し方向に沿った胴部上端部径Ａ１の略１／２の長さ分、下方の位置には、内方へ細溝状に陥没湾曲成形された横溝５が周設されている。
【００１５】
図２〜図４は、このチューブ容器１ａの押し潰し状態を示すもので、胴部２を前後から押し潰すと、横溝５から上方の胴部上端部分２ａの高さＨ１は、胴部上端部径Ａ１の略１／２の長さ分に形成されているので、図３に示すように、前後の胴部上端部分２ａが略庇状に屈曲変位し、前後の胴部２が横溝５部分で直角状に折れ曲がるため、前後の胴部主体部分２ｂは、互いに密着するほどに接近し、充分に偏平に潰れ変形する。
【００１６】
次いで、図４に示すように、横溝５から上のヘッド部分７を、横溝５において前後方向のいずれかに折り曲げて折り畳むことにより、全体を充分に偏平かつコンパクトに減容化することができる。
【００１７】
なお、チューブ容器１ａは、その肩部３の平面形状が楕円形であってもよく、その場合の胴部上端部分２ａの高さＨ１は、押し潰し方向の胴部上端部径Ａ１の略１／２、すなわち楕円形の場合は、短軸方向の径の略１／２に設定する。
【００１８】
図５、図６は、本発明を壜容器に適用した第二実施例を示したもので、壜容器１ｂは、例えばブロー成形により、底壁８を有する円筒状の胴部２の上端に、テーパ筒状の肩部３を介して、円筒状の口部４を一体連設して構成されている。
【００１９】
胴部２の上部と下部の所定位置、すなわち肩部３の周縁から、押し潰し方向に沿った胴部上端部径Ａ１の略１／２の長さ分だけ下方の位置と、底壁８の下面から、押し潰し方向に沿った胴部下端部径Ａ２の略１／２の長さ分だけ上方の位置とには、内方へ細溝状に陥没湾曲成形された横溝５がそれぞれ周設されている。
【００２０】
このように、上部の横溝５から上方の胴部上端部分２ａの高さＨ１と、下部の横溝５から下方の胴部下端部分２ｃの高さＨ２とは、押し潰し方向に沿った胴部上端部径Ａ１と胴部下端部径Ａ２とのそれぞれ略１／２の長さ分に形成されているので、壜容器１ｂの胴部２を前後から押し潰すと、前後の胴部上端部分２ａと胴部下端部分２ｃとが、それぞれ略庇状に屈曲変位すると共に、前後の胴部２が上下の横溝５部分で直角状に折れ曲がるため、前後の胴部主体部分２ｂは互いに密着するほど接近し、充分に偏平に潰れ変形する。
【００２１】
次いで、図６に示すように、上部の横溝５から上のヘッド部分７と、下部の横溝５から下の底部部分９とを、各横溝５において前後方向のいずれかに折り曲げて折り畳むことにより、全体を充分に偏平かつコンパクトに減容化することができる。
【００２２】
なお、壜容器１ｂは、その肩部３の平面形状が、円形の他、楕円形、角形等、適宜の形状のものを使用することができる。
【００２３】
図７〜図９は、本発明をカップ状容器に適用した第三実施例を示したもので、カップ状容器１ｃは、底壁８を有する円筒状の胴部２の上端を、周縁に鍔部１１を設けた開口部１０として構成したものである。
【００２４】
この第三実施例における上下の横溝５の構成、位置設定、そしてその押し潰し形態は、第二実施例と同様である。
【００２５】
図１０および図１１は、カップ状容器の他の形態を示す第四実施例を示したもので、このカップ状容器１ｃは、胴部２の下部にのみ、第三実施例と同様の横溝５を設けたものである。
【００２６】
このカップ状容器１ｃの押し潰し過程においては、図１１に示すように、胴部主体部分２ｂと共に、鍔部１１を含む上端開口部１０も偏平に潰れ変形し、前後の胴部下端部分２ｃが逆庇状に屈曲変位する。
【００２７】
なお、細溝状となった横溝５の溝構造は、半円弧状に限定されることはなく、Ｕ字状さらにはＶ字状であっても良い。
【００２８】
【発明の効果】
本発明は、上記した構成となっているので、以下に示す効果を奏する。横溝から上方の胴部上端部分の高さを、押し潰し方向に沿った胴部上端部径の略１／２に設定したので、容器の胴部を前後から押し潰すと、前後の胴部上端部分が略庇状に屈曲変位すると共に、前後の胴部が横溝部分で直角状に折れ曲がるため、前後の胴部主体部分は互いに密着するほど接近し、充分に偏平に潰れ変形する。
【００２９】
そして、横溝から上のヘッド部分を、横溝において前後方向のいずれかに折り曲げて折り畳むことにより、全体を充分に偏平かつコンパクトに減容化することができると共に、その偏平な減容化形状を確実に維持することができ、もって合成樹脂製容器の廃棄処理を好適にかつ円滑に達成することができる。
【００３０】
また、容器がチューブ容器の場合には、胴部押し潰しによる確実な偏平化とその自己保持性、さらにはヘッド部分の折り畳みにより、内容物のほとんどを口部から押し出すことができるため、容器内の内容物残量を大幅に減らすことができる。
【図面の簡単な説明】
【図１】  本発明の第一実施例を示す、全体斜視図。
【図２】  図１に示した実施例の、押し潰し状態を示す全体斜視図。
【図３】  図１に示した実施例の、押し潰し状態を示す全体側面図。
【図４】  図１に示した実施例の、ヘッド部分折り曲げ状態を示す全体側面図。
【図５】  本発明の第二実施例を示す、全体側面図。
【図６】  図５に示した実施例の、ヘッド部分および底部部分折り曲げ状態を示す全体側面図。
【図７】  本発明の第三実施例を示す、全体斜視図。
【図８】  図７に示した実施例の、押し潰し状態を示す全体斜視図。
【図９】  図７に示した実施例の、押し潰し状態を示す全体側面図。
【図１０】  本発明の第四実施例を示す、全体斜視図。
【図１１】  図１０に示した実施例の、押し潰し状態を示す全体斜視図。
【符号の説明】
１ａ； チューブ容器
１ｂ； 壜容器
１ｃ； カップ状容器
２ ； 胴部
２ａ； 胴部上端部分
２ｂ； 胴部主体部分
２ｃ； 胴部下端部分
３ ； 肩部
４ ； 口部
５ ； 横溝
６ ； シール部
７ ； ヘッド部分
８ ； 底壁
９ ； 底部部分
１０； 開口部
１１； 鍔部
Ａ１； 胴部上端部径
Ａ２； 胴部下端部径
Ｈ１； 胴部上端部分の高さ
Ｈ２； 胴部下端部分の高さ
【図１】
0003925607.tif 000002
【図２】
0003925607.tif 000003
【図３】
0003925607.tif 000004
【図４】
0003925607.tif 000005
【図５】
0003925607.tif 000006
【図６】
0003925607.tif 000007
【図７】
0003925607.tif 000008
【図８】
0003925607.tif 000009
【図９】
0003925607.tif 000010
【図１０】
0003925607.tif 000011
【図１１】
0003925607.tif 000012